(57)【要約】【課題】直流電力の入力極性が誤って接続された場合であっても、当該直流対応装置内の制御回路又は周辺回路の破壊を防ぐ。【解決手段】直流電力によって動作する任意の装置に設けられる直流制御機器であって、前記直流電力の搬送経路として接続される配線コードと、前記配線コードを介して搬送される前記直流電力によって前記装置を制御する制御回路と、前記配線コードの終端と前記制御回路との間に設けられた極性反転部と、を備え、前記極性反転部は、前記直流電力を前記制御回路に搬送する線間に設けられると共に当該直流電力の極性が逆接続された場合に通電する電気経路と、前記電気経路の通電によって前記直流電力の搬送接点を入れ替えるスイッチ部と、前記スイッチ部の動作を制御する極性整合部と、を備え、前記電気経路の通電の際には、前記極性整合部による前記スイッチ部の前記搬送接点の入れ替えにより、前記配線コードの終端における前記直流電力の極性を反転した極性を前記制御回路の極性とする。【選択図】図１
2011199943.tif 000002
【特許請求の範囲】
【請求項１】
直流電力により動作する任意の装置に設けられる直流制御機器であって、
前記直流電力の搬送経路として接続される配線コードと、
前記配線コードを介して搬送された前記直流電力により前記装置の動作を制御する制御回路と、
前記配線コードの終端と前記制御回路との間に設けられた極性反転部と、を備え、
前記極性反転部は、前記直流電力を前記制御回路に搬送する線間に設けられると共に当該直流電力の極性が逆接続された場合に通電される電気経路と、前記電気経路の通電により前記直流電力の搬送接点を入れ替えるスイッチ部と、前記スイッチ部の動作を制御する極性整合部と、を備え、前記電気経路の通電の際に、前記極性整合部による前記スイッチ部の前記搬送接点の入れ替えにより、前記配線コードの終端における前記直流電力の極性を反転することを特徴とする直流制御機器。
【請求項２】
請求項１に記載の直流制御機器であって、
前記極性反転部は、前記電気経路の通電遮断の際には、前記配線コードの終端における前記直流電力の極性を非反転することを特徴とする直流制御機器。
【請求項３】
請求項１又は２に記載の直流制御機器であって、
前記電気経路には、当該電気経路に通電される電流を調整するための抵抗を有することを特徴とする直流制御機器。
【請求項４】
請求項１〜３のうちいずれか一項に記載の直流制御機器であって、
前記極性反転部は、前記電気経路を開放する開閉スイッチ部を設け、
前記制御回路は、前記開閉スイッチ部を開放する旨の制御信号を出力する開閉判定部と、当該開閉判定部により出力された制御信号に応じて前記開閉スイッチ部を開放するように制御する開閉制御部と、を備え、
前記極性反転部を介して前記直流電力が供給された際、前記開閉判定部は、前記開閉制御部に前記開閉スイッチ部を開放させるように制御することを特徴とする直流制御機器。
【請求項５】
請求項１〜４のうちいずれか一項に記載の直流制御機器であって、
前記極性判定部と前記制御回路とは、同一のプリント基板上に設けられていることを特徴とする直流制御機器。
【請求項６】
請求項１〜５のうちいずれか一項に記載の直流制御機器を備えることを特徴とする直流対応装置。
【発明の詳細な説明】
【技術分野】
【０００１】
本発明は、直流電源と同一極性を有する直流電力を供給する直流制御機器、及び当該直流制御機器を備える直流対応装置に関する。
【背景技術】
【０００２】
従来の家電装置は、交流電力である商用電源を入力して動作する制御回路を備えるものが多かった。しかし、近年、交流電力が整流平滑されて得られた直流電力、又は、燃料電池及び太陽光発電装置等により得られた直流電力を駆動源として動作する直流電力に対応した家電装置（以下、「直流対応装置」という）が増えている。今後は、省エネルギー推進の観点からも、住宅等においてこのような直流対応装置に対して直流電力を安定的に供給するための直流配電システムが普及すると考えられている。
【０００３】
このような直流配電システムにおいては、直流電源により供給された直流電力の搬送経路の終端に設けられた直流コンセントには、直流電源の正極の給電部に対応する正極用接続口と、直流電源の負極の給電部に対応する負極用接続口とが設けられる。従来の交流電力を駆動源として動作する家電装置の接続とは異なり直流配電システムにおける直流電源には正負の極性があるため、配線コードを介して直流対応装置を直流コンセントに接続する際には、正極用接続口と負極用接続口とを逆接続してはならないという問題がある。正極用接続口と負極用接続口とを逆接続した場合には、当該直流対応装置が動作しない又は故障する。このような問題に対して、正負の極性が逆接続されることが不可な形状を有するコンセントプラグとして、例えば特許文献１がある。
【０００４】
特許文献１には、接続極性の反転が不可能な形状の直流コンセントに取り付けて、直流機器の入力電源の極性を反転させることができるコンセントアダプタが開示されている。
【先行技術文献】
【特許文献】
【０００５】
【特許文献１】特開２００９−１５８１１０号公報
【発明の概要】
【発明が解決しようとする課題】
【０００６】
前述したような特許文献１に開示されているコンセントプラグの形状によれば、正負の極性を逆接続されないようにすることはできる。しかしながら、このようなコンセントプラグを全ての機器に適用できるように普及させるためには多大なコストや設備を必要とする。また、当該コンセントプラグと直流対応装置との間の配線コードが、第三者によって延長又は短縮等の改造がなされたり、又は、例えばエアコンの室内機と室外機との間における設置工事等において専門業者等により正負の極性が逆接続されたりする場合もある。このような場合には、コンセントプラグを直流コンセントに対して直流電源の極性と同一極性になるように接続しても、直流電源の逆極性を有する直流電力が直流対応装置に供給されるという問題点があった。
【０００７】
本発明は、前述従来の問題点を解決するものであって、接続された配線コードを介して供給された直流電力の入力極性に拘わらず、特別な措置を講ずることなく直流電源の極性と同一極性を有する直流電力を供給して制御回路又は周辺回路の破壊を防ぐ直流制御機器及び当該直流制御機器を備えた直流対応装置を提供することを目的とする。
【課題を解決するための手段】
【０００８】
前記従来の課題を解決するために、本発明の直流制御機器は、直流電力により動作する任意の装置に設けられる直流制御機器であって、前記直流電力の配電経路に接続される配線コードと、前記配線コードを介して供給される前記直流電力によって前記装置を制御する制御回路と、前記配線コードの終端と前記制御回路との間に設けられた極性反転部と、を備え、前記極性反転部は、前記直流電力を前記制御回路に搬送する線間に設けられると共に、当該直流電力の極性が逆接続された場合に通電する電気経路と、前記電気経路の通電によって前記直流電力の供給接点を入れ替えるスイッチ部と、前記スイッチ部の動作を制御する極性整合部と、を備え、前記電気経路の通電の際には、前記極性整合部による前記スイッチ部の前記供給接点の入替えにより、前記配線コードの終端の前記直流電力の極性を反転した極性を前記制御回路の極性とすることを特徴とする。
【０００９】
これにより、接続された配線コードを介して供給された直流電力の入力極性に拘わらず、直流電源の極性と同一極性を有する直流電力を供給して制御回路又は周辺回路の破壊を防ぐことができる。
【発明の効果】
【００１０】
本発明に係る宅内配電システムによれば、接続された配線コードを介して供給された直流電力の入力極性に拘わらず、直流電源の極性と同一極性を有する直流電力を供給して制御回路又は周辺回路の破壊を防ぐことができる。
【図面の簡単な説明】
【００１１】
【図１】実施の形態１における直流制御機器が設けられた直流対応装置を直流コンセントに接続する様子を示した説明図
【図２】実施の形態１における直流制御機器の極性反転部の構成を示した説明図
【図３】実施の形態１における電気経路の通電による電流と導通される搬送接点との関係を示す説明図
【図４】実施の形態１における配線コードの終端に直流電源と同一極性を有する直流電力が搬送された場合の極性反転部の動作を説明する説明図
【図５】実施の形態１における配線コードの終端に直流電源と逆の極性を有する直流電力が搬送された場合の極性反転部の動作を説明する説明図
【図６】実施の形態１における直流制御機器をエアコンの室内機及び室外機に設けた一例を示す説明図
【図７】実施の形態２における直流制御機器の構成を示した説明図
【図８】実施の形態２における開閉スイッチ部が開放される前の様子を示す説明図
【図９】実施の形態２における開閉スイッチ部が開放された後の様子を示す説明図
【図１０】実施の形態３における直流制御機器の極性反転部の構成を示した説明図
【図１１】実施の形態３における電気経路の通電による電流と導通される搬送接点との関係を示す説明図
【図１２】実施の形態３における配線コードの終端に直流電源と同一極性を有する直流電力が搬送された場合の極性反転部の動作を説明する説明図
【図１３】実施の形態３における配線コードの終端に直流電源と逆の極性を有する直流電力が搬送された場合の極性反転部の動作を説明する説明図
【図１４】実施の形態４における直流制御機器の構成を示した説明図
【図１５】実施の形態４における開閉スイッチ部が開放される前の様子を示す説明図
【図１６】実施の形態４における開閉スイッチ部が開放された後の様子を示す説明図
【図１７】実施の形態４における配線コードの終端に直流電源と同一極性を有する直流電力が搬送された場合の極性反転部の動作を説明する説明図
【図１８】実施の形態４における開閉スイッチ部が開放される前の様子を示す説明図
【図１９】実施の形態４における開閉スイッチ部が開放された後の様子を示す説明図
【発明を実施するための形態】
【００１２】
第１の発明は、直流電力により動作する任意の装置に設けられる直流制御機器であって、直流電力の搬送経路として接続される配線コードと、配線コードを介して搬送された直流電力により装置の動作を制御する制御回路と、配線コードの終端と制御回路との間に設けられた極性反転部と、を備え、極性反転部は、直流電力を制御回路に搬送する線間に設けられると共に当該直流電力の極性が逆接続された場合に通電される電気経路と、電気経路の通電により直流電力の搬送接点を入れ替えるスイッチ部と、スイッチ部の動作を制御する極性整合部と、を備え、電気経路の通電の際に、極性整合部によるスイッチ部の搬送接点の入れ替えにより、配線コードの終端における直流電力の極性を反転するものである。
【００１３】
これにより、接続された配線コードを介して供給された直流電力の入力極性に拘わらず、直流電源の極性と同一極性を有する直流電力を制御回路に供給することができ、直流電源の極性と逆の極性を有する直流電力が配線コードを介して搬送された場合においても制御回路又は周辺回路の破壊を防ぐことができる。
【００１４】
第２の発明は、特に第１の発明の前記極性反転部が、電気経路の通電遮断の際には、配線コードの終端における直流電力の極性を非反転するものである。
【００１５】
これにより、配線コードの終端における直流電力の入力極性が直流電源の極性と同一極性である場合には当該入力極性と同一極性を制御回路に供給するための直流電力の入力極性とし、直流電源の極性と逆の極性である場合には当該入力極性を反転した極性を制御回路の極性とするため、直流対応装置内の制御回路又は周辺回路の破壊を防ぐことができる。
【００１６】
第３の発明は、特に第１又は第２の発明の電気経路は、電気経路に通電される電流を調整するための抵抗を有するものである。
【００１７】
これにより、極性反転部の極性整合部がスイッチ部を制御するために必要な電流を適切に設定することができる。
【００１８】
第４の発明は、特に第１〜第３の発明のうちいずれかの発明の極性反転部は、電気経路を開放する開閉スイッチ部を設け、制御回路は、開閉スイッチ部を開放する旨の制御信号を出力する開閉判定部と、開閉判定部により出力された制御信号に応じて開閉スイッチ部を開放するように制御する開閉制御部と、を備え、極性反転部を介して直流電力が供給された際、開閉判定部は、開閉制御部に開閉スイッチ部を開放させるように制御するものである。
【００１９】
これにより、直流電源の極性と同一極性を有する直流電力が制御回路に供給された後に電気経路を開放して電気経路に電流を流さなくすることで極性反転部による電力消費を低減することができる。更に、極性反転部の極性整合部とスイッチ部とはラッチングリレーが構成されているため、電気経路が開放された後であっても、極性反転部のスイッチ部の搬送接点の導通状態を固定維持することができる。
【００２０】
第５の発明は、特に第１〜第４の発明のうちいずれかの発明の極性判定部と制御回路とは、同一のプリント基板上に設けられているものである。
【００２１】
これにより、直流制御機器が設けられた直流電力を駆動源として動作する直流対応装置の製造時、又は当該装置の取り付け等の工事時における配線コードの逆接続による当該直流対応装置の破壊を防ぐことができる。
【００２２】
第６の発明は、特に第１〜第５の発明のうちいずれかの発明の直流制御機器を備えるものである。
【００２３】
これにより、接続された配線コードを介して供給された直流電力の入力極性に拘わらず、直流電源の極性と同一極性を有する直流電力を供給して制御回路又は周辺回路の破壊を防ぐことができる。従って、直流対応装置を直流コンセントの極性を逆に接続した場合、又は、配線コードの改造或いは専門業者等の第三者によって配線コードが誤って逆に接続された場合でも、直流対応装置は適正に動作することができる。
【００２４】
本発明は、第１の発明から第６の発明の要部を実施の形態とすることにより本発明の目的を達成できるため、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並びに同一作用効果を奏するところには、同一符号を付して重複した説明を行わないものとする。
【００２５】
（実施の形態１）
図１は、本発明の実施の形態１における直流制御機器１０が設けられた直流対応装置１００を直流コンセント１１に接続する様子を示した説明図である。本実施の形態１における直流対応装置１００は、図１に示すように、住宅等の分電盤内等に設置された直流電源４０から配線された直流電力の搬送経路１３を介して正極及び負極の一対の給電部を有する直流コンセント１１への挿入接続により供給された当該直流電力を駆動源として動作する。本実施の形態１の直流制御機器１０は、このような直流対応装置１００に設けられる。以下では、直流コンセント１１は図１に示すように壁に設置されているものとし、直流コンセント１１を前面（正面）から見たときの上下左右方向を各実施の形態における上下左右方向として説明する。
【００２６】
図１に示す直流コンセント１１には、例えば住宅等の特定場所に設置された分電盤内に配設されたＡＣ／ＤＣコンバータにより商用電源等の交流電源が整流平滑されて得られた直流電力、又は、当該住宅等に設置されている燃料電池或いは太陽光発電装置等が接続された直流電源４０により供給された直流電力が搬送されている。
【００２７】
図１において、直流コンセント１１は、直流電力の正極の給電部である接続口１２ａ及び負極の給電部である接続口１２ｂを前面側に有する。各接続口１２ａ，１２ｂは、それぞれ直流コンセント１１の前方に開放されると共に、直流電力の搬送経路１３を介して分電盤内に設けられた直流電源４０の正極及び負極に接続された刃受ばねを内部に備える。各接続口１２ａ，１２ｂに挿入された直流制御機器１０のコンセント接続栓刃１ａ，１ｂは、各接続口１２ａ，１２ｂに設けられた刃受バネで受けられることにより当該分電盤内に設置された直流電源４０と電気的に接続される。
【００２８】
図１において、本実施の形態１の直流制御機器１０は、各コンセント接続栓刃１ａ，１ｂを有するプラグ２と、配線コード３と、プリント基板４とを備える。
【００２９】
プラグ２は、コンセント接続栓刃１ａ，１ｂと配線コード３の始端３ａとを電気的に接続すると共に、各コンセント接続栓刃１ａ，１ｂが各接続口１２ａ，１２ｂにそれぞれ挿入接続された際に、配線コード３を介してプリント基板４に直流電力を搬送する。
【００３０】
なお、各コンセント接続栓刃１ａ，１ｂは、それぞれ金属材料から構成され、プラグ２の背面側に直交する向きに対して略直方体状に形成されている。なお、コンセント接続栓刃１ａ，１ｂの形状は、各接続口１２ａ，１２ｂの形状と略一致するものであれば略直方体状に限定されない。以下、コンセント接続栓刃１ａは直流電力の正極の給電部である接続口１２ａに対応して挿入接続され、コンセント接続栓刃１ｂは接続口１２ｂに対応して挿入接続されるものとして説明する。
【００３１】
配線コード３は、所定長の銅線が絶縁性材料により覆われたものであり、直流コンセント１１を介して搬送された直流電力の搬送経路として機能する。また、配線コード３の始端３ａはプラグ２の前面側に電気的に接続されると共に、配線コード３の終端３ｂはプリント基板４の極性反転部５の入力端子Ｔ１及びＴ２にそれぞれ接続される。プリント基板４には、極性反転部５と、制御回路６とが直列接続されるように配線されている。
【００３２】
極性反転部５の構成の詳細に関して図２を参照して説明する。図２は、本実施の形態１における直流制御機器１０の極性反転部５の構成を示した説明図である。
【００３３】
極性反転部５は、図１に示す配線コード３の終端３ｂに接続された入力端子Ｔ１及びＴ２に直流電源４０と同一極性である入力極性を有する直流電力が搬送された場合には、当該入力極性が非反転された極性、即ち当該入力極性と同一極性を有する直流電力を制御回路６に供給する。また、極性反転部５は、図１に示す配線コード３の終端３ｂに接続された入力端子Ｔ１及びＴ２に直流電源４０と逆の極性である入力極性を有する直流電力が搬送された場合には、当該入力極性が反転された極性を有する直流電力を制御回路６に供給する。なお、以下、入力端子Ｔ１及びＴ２に直流電源４０と同一極性である入力極性を有する直流電力が搬送された場合とは、入力端子Ｔ１及びＴ２にそれぞれ正極及び負極の極性が生じた場合を示す。また、入力端子Ｔ１及びＴ２に直流電源４０と逆の極性である入力極性を有する直流電力が搬送された場合とは、入力端子Ｔ１及びＴ２にそれぞれ正極及び負極の極性が生じた場合を示す。
【００３４】
制御回路６は、極性反転部５の出力端子Ｔ５及びＴ６に接続された入力端子Ｔ７及びＴ８に直流電源４０と同一極性である入力極性を有する直流電力が極性反転部５を介して搬送された場合に、当該搬送された直流電力を駆動源として動作すると共に、本実施の形態１の直流対応装置１００全体の動作を制御する。
【００３５】
図２に示すように、極性反転部５は、第１スイッチ部ＳＷ１と、第２スイッチ部ＳＷ２と、端子Ｔ３及びＴ４間の配線である電気経路５ｂとを備える。この電気経路５ｂには、抵抗Ｒと、ダイオードＤと、極性整合部５ａとが設けられている。なお、極性反転部５において、第１スイッチ部ＳＷ１と、第２スイッチ部ＳＷ２と、極性整合部５ａとによりリレーＲｙが構成される。
【００３６】
また、電気経路５ｂは、図２に示すように、配線コード３を介して搬送された直流電力を制御回路６に搬送する線間に設けられ、極性反転部５における入力端子Ｔ１及びＴ２に直流電源４０と同一極性である入力極性を有する直流電力が搬送された場合に通電遮断され、当該直流電源４０と逆の極性である入力極性を有する直流電力が搬送された場合に通電される。
【００３７】
第１スイッチ部ＳＷ１は、電気経路５ｂの通電による電流Ｉの有無に応じて、搬送接点Ｊ１−Ｊ２間又は搬送接点Ｊ１−Ｊ３間を導通するように直流電力の搬送接点を入れ替える。第１スイッチ部ＳＷ１は、電気経路５ｂが通電されない、即ち、極性整合部５ａに電流Ｉが流れない場合には、搬送接点Ｊ１−Ｊ２間を導通する。第１スイッチ部ＳＷ１は、電気経路５ｂが通電される、即ち、極性整合部５ａに電流Ｉが流れる場合には、極性整合部５ａにより搬送接点の入れ替えが行われ、搬送接点Ｊ１−Ｊ３間を導通する。
【００３８】
第２スイッチ部ＳＷ２は、電気経路５ｂの通電による電流Ｉの有無に応じて、搬送接点Ｊ４−Ｊ５間又は搬送接点Ｊ４−Ｊ６間を導通するように直流電力の搬送接点を入れ替える。第２スイッチ部ＳＷ２は、電気経路５ｂが通電されない、即ち、極性整合部５ａに電流Ｉが流れない場合には、搬送接点Ｊ４−Ｊ５間を導通する。第２スイッチ部ＳＷ２は、電気経路５ｂが通電されない、即ち、極性整合部５ａに電流Ｉが流れる場合には、極性整合部５ａにより搬送接点の入れ替えが行われ、搬送接点Ｊ４−Ｊ６間を導通する。
【００３９】
抵抗Ｒは、ダイオードＤと極性整合部５ａとそれぞれ直列接続されるように電気経路５ｂに設けられている。抵抗Ｒは、極性整合部５ａに流れる電流Ｉを設定するために設けられる。例えば、極性整合部５ａに流れる電流Ｉが極度に小さい場合には、第１スイッチ部ＳＷ１及び第２スイッチ部ＳＷ２が動作しない。更に、極性整合部５ａに流れる電流Ｉが極度に大きい場合には、抵抗Ｒでの消費電力が大きくなるため直流制御機器１０が設けられる直流対応装置１００として非常に非効率である。このため、電気経路５ｂに抵抗Ｒが設けられることが好ましい。
【００４０】
また、抵抗Ｒは、固定抵抗でも可変抵抗であっても良い。更に、定格内の一定の直流電流Ｉを出力するための定電流回路を極性反転部５とは別に設け、当該定電流回路により出力された直流電流Ｉが極性反転部５の電気経路５ｂに入力される場合には、抵抗Ｒは不要としても構わない。更に、極性整合部５ａの両端にかかる電圧が小さく当該極性整合部５ａの誘導リアクタンスで定まる電流が流れる場合には、抵抗Ｒは不要としても構わない。
【００４１】
ダイオードＤは、アノード側が極性整合部５ａに接続され、カソード側が端子Ｔ３に接続されている。このため、入力端子Ｔ１及びＴ２に直流電源４０と同一極性である入力極性を有する直流電力が搬送された場合には、ダイオードＤにより電気経路５ｂが通電遮断される。従って、入力端子Ｔ１及びＴ２に直流電源４０と逆の極性である入力極性を有する直流電力が搬送された場合に限り、ダイオードＤにより電気経路５ｂは通電される。
【００４２】
極性整合部５ａは、コイル等で構成され、電気経路５ｂの通電による電流Ｉの有無に応じて、第１スイッチ部ＳＷ１及び第２スイッチ部ＳＷ２の各々の搬送接点を入れ替える。電気経路５ｂの通電による電流Ｉと導通される搬送接点との関係について図３を参照して説明する。図３は、電気経路５ｂの通電による電流Ｉと導通される搬送接点との関係を示す説明図である。
【００４３】
図３に示すように、配線コード３の終端３ｂに接続された入力端子Ｔ１及びＴ２に直流電源４０と同一極性である入力極性を有する直流電力が搬送された場合には、入力端子Ｔ１及びＴ２の入力極性がそれぞれ正極及び負極である。この場合には、ダイオードＤにより電気経路５ｂは通電遮断されて極性整合部５ａには電流Ｉが流れないため、第１スイッチ部ＳＷ１は搬送接点Ｊ１−Ｊ２間を導通し、第２スイッチ部ＳＷ２は搬送接点Ｊ４−Ｊ５間を導通する。
【００４４】
配線コード３の終端３ｂに接続された入力端子Ｔ１及びＴ２に直流電源４０と逆の極性である入力極性を有する直流電力が搬送された場合には、入力端子Ｔ１及びＴ２の入力極性がそれぞれ負極及び正極である。この場合には、ダイオードＤにより電気経路５ｂは通電されて極性整合部５ａに電流Ｉが流れるため、第１スイッチ部ＳＷ１は搬送接点Ｊ１−Ｊ３間を導通し、第２スイッチ部ＳＷ２は搬送接点Ｊ４−Ｊ６間を導通する。
【００４５】
次に、入力端子Ｔ１及びＴ２に直流電源４０と同一極性である入力極性を有する直流電力が搬送された場合の極性反転部５の動作について図４を参照して説明する。図４は、入力端子Ｔ１及びＴ２に直流電源４０と同一極性である入力極性を有する直流電力が搬送された場合の極性反転部５の動作を説明する説明図である。
【００４６】
極性反転部５の入力端子Ｔ１及びＴ２に直流電源４０と同一極性である入力極性を有する直流電力が搬送された場合には、図４に示すように、配線コード３の終端３ｂにおける極性反転部５の入力端子Ｔ１及びＴ２の入力極性はそれぞれ正極及び負極となる。この場合には、ダイオードＤにより電気経路５ｂは通電遮断されて極性整合部５ａには電流Ｉが流れないため、第１スイッチ部ＳＷ１は搬送接点Ｊ１−Ｊ２間を導通し、第２スイッチ部ＳＷ２は搬送接点Ｊ４−Ｊ５間を導通する。
【００４７】
入力端子Ｔ１及びＴ２に搬送された直流電力は、第１スイッチ部ＳＷ１の搬送接点Ｊ１−Ｊ２間及び第２スイッチ部ＳＷ２の搬送接点Ｊ４−Ｊ５間を通じて、入力端子Ｔ１及びＴ２に搬送された直流電力の入力極性が反転されずに出力端子Ｔ１及びＴ２に搬送される。従って、出力端子Ｔ１及びＴ２に搬送された直流電力の出力極性は入力端子Ｔ１及びＴ２に搬送された直流電力の入力極性と同一極性を有するため、制御回路６の入力端子Ｔ７及びＴ８には、直流電源４０と同一極性を有する直流電力が搬送される。
【００４８】
次に、入力端子Ｔ１及びＴ２に直流電源４０と逆の極性である入力極性を有する直流電力が搬送された場合の極性反転部５の動作について図５を参照して説明する。図５は、入力端子Ｔ１及びＴ２に直流電源４０と逆の極性である入力極性を有する直流電力が搬送された場合の極性反転部５の動作を説明する説明図である。
【００４９】
極性反転部５の入力端子Ｔ１及びＴ２に直流電源４０と逆の極性である入力極性を有する直流電力が搬送された場合には、図５に示すように、配線コード３の終端３ｂにおける極性反転部５の入力端子Ｔ１及びＴ２の入力極性はそれぞれ負極及び正極となる。この場合には、ダイオードＤにより電気経路５ｂには通電されて極性整合部５ａには電流Iが流れるため、第１スイッチ部ＳＷ１は搬送接点Ｊ１−Ｊ３間を導通し、第２スイッチ部ＳＷ２は搬送接点Ｊ４−Ｊ６間を導通する。
【００５０】
入力端子Ｔ１及びＴ２に搬送された直流電力は、第１スイッチ部ＳＷ１の搬送接点Ｊ１−Ｊ３間及び第２スイッチ部ＳＷ２の搬送接点Ｊ４−Ｊ６間を通じて、入力端子Ｔ１及びＴ２に搬送された直流電力の入力極性が反転されて出力端子Ｔ１及びＴ２に搬送される。従って、出力端子Ｔ１及びＴ２に搬送された直流電力の出力極性は入力端子Ｔ１及びＴ２に搬送された直流電力の入力極性と逆であるため、制御回路６の入力端子Ｔ７及びＴ８には、入力端子Ｔ１及びＴ２に搬送された直流電力の入力極性と逆の極性を有する直流電力、即ち、直流電源４０の極性と同一極性を有する直流電力が搬送される。
【００５１】
図６は、実施の形態１における直流制御機器１０をエアコンの室内機２０及び室外機３０にそれぞれ設けた一例を示す説明図である。図６においては、エアコンの室内機２０及び室外機３０は共に直流対応装置１００である。図６に示すように、室内機２０に配設された直流制御機器１０Ａの配線コード３Ａとプリント基板４Ａ上に配線された制御回路６Ａとの間には、極性反転部５Ａがプリント基板４Ａ上に挿入的に配線されている。同様に、室外機３０に配設された直流制御機器１０Ｂの配線コード３Ｂとプリント基板４Ｂ上に配線された制御回路６Ｂとの間には、極性反転部５Ｂがプリント基板４Ｂ上に挿入的に配線されている。
【００５２】
図６において、コンセント接続栓刃１ａ，１ｂを有するプラグ２が直流コンセント１１の接続口１２ａ，１２ｂにそれぞれ挿入接続されて室内機２０の配線コード３Ａの終端３Ａｂに直流電源４０の極性と同一極性である入力極性を有する直流電力が搬送された場合には、極性反転部５Ａにより当該直流電源４０の極性と同一極性を有する直流電力が制御回路６Ａに供給される。このため、制御回路６Ａと配線コード３Ｂの始端３Ｂａとが接続される制御回路６Ａの出力端子には、配線コード３Ａの終端３Ａｂにおける直流電力の入力極性と同一極性を有する直流電力、即ち、直流電源４０の極性と同一極性の直流電力が搬送される。
【００５３】
仮に配線コード３Ａが第三者等によって改造された場合、又は、エアコンの設置工事において専門業者等によって配線コード３Ａが逆接続されたために当該配線コード３Ａの終端３Ａｂに直流電源４０の極性と逆の極性を有する直流電力が搬送されたとする。この場合には、制御回路６Ａの入力端子には、極性反転部５Ａにより極性反転された極性を有する直流電力が搬送される。これにより、直流制御機器１０Ａの極性反転部５Ａは、配線コード３Ａを介して搬送された直流電力の入力極性に拘わらず、直流電源４０の極性と同一極性を有する直流電力を制御回路６Ａに搬送することができるため、直流電源の極性と逆極性を有する直流電力が配線コード３Ａを介して搬送された場合においても制御回路６Ａ又は室内機２０における周辺回路の破壊を防ぐことができる。
【００５４】
次に、室内機２０の制御回路６Ａの出力端子から配線コード３Ｂの終端３Ｂｂに搬送された直流電力の極性が直流電源４０の極性と同一である場合には、極性反転部５Ｂにより当該直流電源４０の極性と同一極性を有する直流電力が制御回路６Ｂに供給される。
【００５５】
仮に配線コード３Ｂが第三者等によって改造された場合、又は、エアコンの設置工事において専門業者等によって配線コード３Ｂが逆接続されたために当該配線コード３Ｂの終端３Ｂｂに直流電源４０の極性と逆の極性を有する直流電力が搬送されたとする。この場合には、制御回路６Ｂの入力端子には、極性反転部５Ｂにより極性反転された極性を有する直流電力が搬送される。これにより、直流制御機器１０Ｂの極性反転部５Ｂは、配線コード３Ｂを介して搬送された直流電力の入力極性に拘わらず、直流電源４０の極性と同一極性を有する直流電力を制御回路６Ｂに搬送することができるため、直流電源の極性と逆極性を有する直流電力が配線コード３Ｂを介して搬送された場合においても制御回路６Ｂ又は室外機３０における周辺回路の破壊を防ぐことができる。
【００５６】
以上のように、本実施の形態１においては、配線コード３の終端３ｂに接続された入力端子Ｔ１及びＴ２に直流電源４０の極性と同一極性を有する直流電力が搬送された場合には、極性反転部５は、電気経路５ｂが通電遮断されて当該搬送された直流電力の極性を反転せずに当該直流電力を制御回路６に搬送する。即ち、極性反転部５は、入力端子Ｔ１及びＴ２に搬送された直流電力の入力極性を反転しないことにより直流電源４０の極性と同一極性を有する直流電力を制御回路６に供給する。また、配線コード３の終端３ｂに接続された入力端子Ｔ１及びＴ２に直流電源の極性と逆の極性を有する直流電力が搬送された場合には、極性反転部５は、電気経路５ｂが通電されて当該搬送された直流電力の極性を反転すると共に当該反転された極性を有する直流電力を制御回路６に供給する。即ち、極性反転部５は、入力端子Ｔ１及びＴ２に搬送された直流電力の入力極性を反転することにより直流電源４０の極性と同一極性を有する直流電力を制御回路６に供給する。
【００５７】
従って、本実施の形態１の直流制御機器１０は、配線コード３を介して搬送された直流電力の入力極性に拘わらず、特別な措置を講じなくても直流電源４０の極性と同一極性を有する直流電力を制御機器６に搬送することができるため、直流電源の極性と逆極性を有する直流電力が配線コード３を介して搬送された場合においても制御回路６又は当該制御回路６の周辺回路の破壊を防ぐことができる。また、本実施の形態１の直流制御機器１０は、極性反転用の回路である極性反転部５を制御回路６と独立して構成することにより、制御回路６の複雑化を回避すると共に、簡単な回路構造で制御回路６に直流電源４０と同一極性を有する直流電源を供給することができる。
【００５８】
（実施の形態２）
次に、本発明の実施の形態２について図面を参照して説明する。実施の形態１では、電気経路５ｂが通電され続けていけば当該電気経路５ｂによる消費電力が次第に増すため、当該通電が継続されるのは好ましくない場合がある。そこで、本実施の形態２においては、図７に示すように、極性反転部１５の電気経路１５ｂに当該電気経路１５ｂを開放するための開閉スイッチ部１５ｃを追加的に設け、制御回路１６に直流電源４０と同一極性を有する直流電力が供給された場合には、制御回路１６が開閉スイッチ部１５ｃを開放するように制御する。また、このとき、極性反転部１５においては直流電源４０と同一極性を有する直流電力が制御回路１６に供給され続ける必要がある。以下、実施の形態２について詳述する。
【００５９】
図７に示すように、極性反転部１５は、第１スイッチ部ＳＷ１と、第２スイッチ部ＳＷ２と、端子Ｔ３及びＴ４間の配線である電気経路１５ｂとを備える。この電気経路１５ｂには、抵抗Ｒと、ダイオードＤと、極性整合部５ａと、開閉スイッチ部１５ｃとが設けられている。なお、極性反転部１５において、第１スイッチ部ＳＷ１と、第２スイッチ部ＳＷ２と、極性整合部１５ａとによりラッチングリレーＬＲｙが構成される。また、開閉スイッチ部１５ｃと、制御回路１６の開閉制御部１６ｆとによりリレーＲｙが構成される。
【００６０】
第１スイッチ部ＳＷ１、第２スイッチ部ＳＷ２、抵抗Ｒ、ダイオードＤ、及び極性整合部１５ａに関しては実施の形態１と同様であるため、第１スイッチ部ＳＷ１、第２スイッチ部ＳＷ２、抵抗Ｒ、ダイオードＤ及び極性整合部１５ａに関する説明を省略する。
【００６１】
開閉スイッチ部１５ｃは、制御回路１６の開閉制御部１６ｆにより出力された電気経路１５ｂを開放する旨の制御信号に基づいて電気経路１５ｂを開放する、即ち、接点Ｊ７−Ｊ８を非導通する。前述したように、極性反転部１５と、第１スイッチ部ＳＷ１と、第２スイッチ部ＳＷ２とによりラッチングリレーＬＲｙが構成されている。このため、開閉スイッチ部１５ｃが電気経路１５ｂを開放した場合でも、電気経路１５ｂの通電による電流Ｉの有無に拘わらず、第１スイッチ部ＳＷ１は搬送接点Ｊ１−Ｊ３間の導通を固定維持し、第２スイッチ部ＳＷ２は搬送接点Ｊ４−Ｊ６間の導通を固定維持する。また、開閉スイッチ部１５ｃは、制御回路１６の開閉制御部１６ｆにより出力された電気経路１５ｂを閉成する旨の制御信号に基づいて、接点Ｊ７−Ｊ８を導通しても良い。
【００６２】
制御回路１６は、電源回路１６ａと、ＤＣ／ＤＣコンバータ１６ｂと、コントローラ１６ｃと、開閉制御部１６ｆとを少なくとも備える。コントローラ１６ｃは、記憶部１６ｄと、開閉判定部１６ｅとを備える。
【００６３】
電源回路１６ａは、制御回路１６に供給された直流電源４０と同一極性を有する直流電力の供給を受け、制御回路１６内の各部に対して必要な電源を供給する。
【００６４】
ＤＣ／ＤＣコンバータ１６ｂは、電源回路１６ａにより供給された直流電力のうちコントローラ１６ｃの駆動に必要な直流電力を生成して、当該生成された直流電力をコントローラ１６ｃに供給する。
【００６５】
コントローラ１６ｃの記憶部１６ｄは、極性反転部１５の電気経路１５ｂの開放状態或いは閉成状態、即ち、開閉スイッチ部１５ｃの接点Ｊ７−Ｊ８の非導通状態或いは導通状態を示す状態フラグを記憶している。例えば、極性反転部１５の電気経路１５ｂが閉成されている、即ち、開閉スイッチ部１５ｃの接点Ｊ７−Ｊ８が導通している場合には、記憶部１６ｄには当該閉成状態を示す状態フラグ「１」が記憶されている。また、極性反転部１５の電気経路１５ｂが開放されている、即ち、開閉スイッチ部１５ｃの接点Ｊ７−Ｊ８が非導通している場合には、記憶部１６ｄには当該開放状態を示す状態フラグ「０」が記憶されている。
【００６６】
コントローラ１６ｃの開閉判定部１６ｅは、記憶部１６ｄに記憶される状態フラグを参照して極性反転部１５の開閉スイッチ部１５ｃの開放又は閉成の要否を判定する。コントローラ１６ｃの開閉判定部１６ｅは、制御回路１６の入力端子Ｔ７及びＴ８に直流電源４０と同一極性を有する直流電力が搬送された際に、開閉制御部１６ｆが開閉スイッチ部１５ｃを開放するように開閉制御部１６ｆを制御する。
【００６７】
開閉制御部１６ｆは、開閉判定部１６ｅの制御の下で、制御回路１６の入力端子Ｔ７及びＴ８に直流電源４０と同一極性を有する直流電力が供給された際に、開閉スイッチ部１５ｃを開放するための制御信号を開閉スイッチ部１５ｃに出力する。
【００６８】
次に、入力端子Ｔ１及びＴ２に直流電源４０と逆の極性である入力極性を有する直流電力が搬送された場合の極性反転部１５及び制御回路１６の動作について図８及び図９を参照して説明する。図８は、開閉スイッチ部１５ｃが開放される前の様子を示す説明図である。図９は、開閉スイッチ部１５ｃが開放された後の様子を示す説明図である。また、開閉スイッチ部１５ｃは予め閉成状態、即ち、接点Ｊ７−Ｊ８間は導通状態であるとする。なお、以下の説明は、入力端子Ｔ１及びＴ２に直流電源４０と同一極性である入力極性を有する直流電力が搬送された場合にも適用可能である。
【００６９】
極性反転部１５の入力端子Ｔ１及びＴ２に直流電源４０と逆の極性である入力極性を有する直流電力が搬送された場合には、図８に示すように、配線コード３の終端３ｂにおける極性反転部１５の入力端子Ｔ１及びＴ２の入力極性はそれぞれ負極及び正極となる。この場合には、ダイオードＤにより電気経路１５ｂには通電されて接点Ｊ７−Ｊ８を介して極性整合部１５ａには電流Iが流れるため、第１スイッチ部ＳＷ１は搬送接点Ｊ１−Ｊ３間を導通し、第２スイッチ部ＳＷ２は搬送接点Ｊ４−Ｊ６間を導通する。
【００７０】
入力端子Ｔ１及びＴ２に搬送された直流電力は、第１スイッチ部ＳＷ１の搬送接点Ｊ１−Ｊ３間及び第２スイッチ部ＳＷ２の搬送接点Ｊ４−Ｊ６間を通じて、入力端子Ｔ１及びＴ２に搬送された直流電力の入力極性が反転されて出力端子Ｔ５及びＴ６に搬送される。従って、出力端子Ｔ５及びＴ６に搬送された直流電力の出力極性は入力端子Ｔ１及びＴ２に搬送された直流電力の入力極性と逆であるため、制御回路１６の入力端子Ｔ７及びＴ８には、極性反転部１５の入力端子Ｔ１及びＴ２に搬送された直流電力の入力極性と逆の極性を有する直流電力、即ち、直流電源４０の極性と同一極性を有する直流電力が搬送される。
【００７１】
制御回路１６の入力端子Ｔ７及びＴ８に直流電源４０と同一極性を有する直流電力が搬送された場合には、コントローラ１６ｃの開閉判定部１６ｅは、記憶部１６ｄに記憶されている状態フラグ「１」を参照し、開閉制御部１６ｆが開閉スイッチ部１５ｃを開放するように開閉制御部１６ｆを制御する。開閉制御部１６ｆは、開閉判定部１６ｅの制御の下で、開閉スイッチ部１５ｃを開放するための制御信号を開閉スイッチ部１５ｃに出力する。開閉スイッチ部１５ｃは、制御回路１６の開閉制御部１６ｆにより出力された電気経路１５ｂを開放する旨の制御信号に基づいて、図９に示すように、電気経路１５ｂを開放する、即ち、接点Ｊ７−Ｊ８を非導通する。
【００７２】
また、極性反転部１５と、第１スイッチ部ＳＷ１と、第２スイッチ部ＳＷ２とにより構成されているラッチングリレーＬＲｙにより、開閉スイッチ部１５ｃが電気経路１５ｂを開放した場合、電気経路１５ｂの通電による電流Ｉの有無に拘わらず、第１スイッチ部ＳＷ１は搬送接点Ｊ１−Ｊ３間の導通を固定維持し、第２スイッチ部ＳＷ２は搬送接点Ｊ４−Ｊ６間の導通を固定維持する。従って、極性反転部１５の入力端子Ｔ１及びＴ２に直流電源４０と逆極性を有する直流電力が搬送された場合でも、実施の形態１にて説明したように、極性反転部１５により当該直流電力の極性が反転されるため、制御回路１６の入力端子Ｔ７及びＴ８には直流電源４０と同一極性を有する直流電力が搬送される。
【００７３】
以上のように、本実施の形態２においては、実施の形態１の動作に加えて、制御回路１６の入力端子Ｔ７及びＴ８に直流電源４０と同一極性の直流電力が搬送された場合に、制御回路１６は、記憶部１６ｄに記憶されている状態フラグを参照して、開閉制御部１６ｆを介して極性反転部１５の開閉スイッチ部１５ｃを開放させる。更に、第１スイッチ部ＳＷ１と、第２スイッチ部ＳＷ２と、極性整合部１５ａとによりラッチングリレーＬＲｙを構成する。
【００７４】
従って、本実施の形態２の直流制御機器１０Ａは、実施の形態１の効果に加えて、直流電源４０の極性と同一極性を有する直流電力が制御回路１６に供給された後に電気経路１５ｂを開放して電気経路１５ｂに電流Ｉを流さなくすることにより、極性反転部１５における電力消費を低減することができる。更に、極性反転部１５の極性整合部１５ａと第１スイッチ部ＳＷ１と第２スイッチ部ＳＷ２とはラッチングリレーＬＲｙが構成されている。このため、電気経路１５ｂが開放された後であっても、極性反転部１５の第１スイッチ部ＳＷ１及び第２スイッチ部ＳＷ２の搬送接点の導通状態を固定維持することができる。
【００７５】
（実施の形態３）
次に、本発明の実施の形態３について図面を参照して説明する。実施の形態１または２では、図１に示すコンセントプラグ２と直流コンセント１１との接続が常に維持されているような状況や、常に当該接続が維持されずに一度配線コード３の接続が解除され且つ当該配線コード３の終端３ｂにおける入力極性が当該接続解除前と比べて変更されない状態、即ち入力極性が反転されない状態で再接続がされたような状況を想定している。しかしながら、前述した接続解除前と比べて極性反転部５における入力極性が反転された状態で再接続されたような場合には、直流電源の極性と極性反転部５における入力極性とが正確に整合できない場合がある。そこで、本実施の形態３においては、図１０に示すように、極性反転部２５の電気経路２５ｂにダイオードＤを用いず、極性整合部２５ａが電流Ｉの流れる方向を考慮してリレーＲｙを制御するようにしたものである。極性整合部２５ａが、電流Ｉが極性整合部２５ａに流れているかどうかだけでなく、当該電流Ｉが流れる方向を考慮してリレーＲｙを制御するようにしたことにより、コンセントプラグ２の抜き差しなどにより再接続をしたような場合であっても直流電源の極性と同一極性を適切に整合させることができるものである。以下、実施の形態３について詳述する。
【００７６】
図１０に示すように、極性反転部２５は、第１スイッチ部ＳＷ１と、第２スイッチ部ＳＷ２と、端子Ｔ３及びＴ４間の配線である電気経路２５ｂとを備える。この電気経路２５ｂには、抵抗Ｒと、極性整合部２５ａとが設けられている。なお、極性反転部２５において、第１スイッチ部ＳＷ１と、第２スイッチ部ＳＷ２と、極性整合部２５ａとによりリレーＲｙが構成される。
【００７７】
極性整合部２５ａは、コイル又はトライアック等で構成され、電気経路２５ｂの通電による電流Ｉの流れの方向に応じて、第１スイッチ部ＳＷ１及び第２スイッチ部ＳＷ２の各々の搬送接点を入れ替える。電気経路２５ｂの通電による電流Ｉと導通される搬送接点との関係について図１１を参照して説明する。図１１は、電気経路２５ｂの通電による電流Ｉの流れる方向と導通される搬送接点との関係を示す説明図である。
【００７８】
図１１に示すように、第１スイッチ部ＳＷ１は、電気経路２５ｂの通電による電流Ｉの方向に応じて、搬送接点Ｊ１−Ｊ２間又は搬送接点Ｊ１−Ｊ３間を導通するように直流電力の搬送接点を入れ替える。第１スイッチ部ＳＷ１は、電気経路２５ｂにおいて端子Ｔ３から端子Ｔ４の方向に極性整合部２５ａを介して電流Ｉが流れた場合には、搬送接点Ｊ１−Ｊ２間を導通する。第１スイッチ部ＳＷ１は、電気経路２５ｂにおいて端子４から端子３の方向に極性整合部２５ａを介して電流Ｉが流れた場合には、極性整合部２５ａにより搬送接点の入れ替えが行われ、搬送接点Ｊ１−Ｊ３間を導通する。
【００７９】
第２スイッチ部ＳＷ２は、電気経路２５ｂの通電による電流Ｉの方向に応じて、搬送接点Ｊ４−Ｊ５間又は搬送接点Ｊ４−Ｊ６間を導通するように直流電力の搬送接点を入れ替える。第２スイッチ部ＳＷ２は、電気経路２５ｂにおいて端子Ｔ３から端子Ｔ４の方向に極性整合部２５ａを介して電流Ｉが流れた場合には、搬送接点Ｊ４−Ｊ５間を導通する。第２スイッチ部ＳＷ２は、電気経路２５ｂにおいて端子４から端子３の方向に極性整合部２５ａを介して電流Ｉが流れた場合には、極性整合部２５ａにより搬送接点の入れ替えが行われ、搬送接点Ｊ４−Ｊ６間を導通する。
【００８０】
抵抗Ｒに関しては実施の形態１または２と同様であるため、説明を省略する。
【００８１】
次に、入力端子Ｔ１及びＴ２に直流電源４０と同一極性である入力極性を有する直流電力が搬送された場合の極性反転部２５の動作について図１２を参照して説明する。図１２は、入力端子Ｔ１及びＴ２に直流電源４０と同一極性である入力極性を有する直流電力が搬送された場合の極性反転部２５の動作を説明する説明図である。
【００８２】
極性反転部２５の入力端子Ｔ１及びＴ２に直流電源４０と同一極性である入力極性を有する直流電力が搬送された場合には、図１２に示すように、配線コード３の終端３ｂにおける極性反転部２５の入力端子Ｔ１及びＴ２の入力極性はそれぞれ正極及び負極となる。この場合には、電気経路２５ｂにおいて端子Ｔ３から端子Ｔ４の方向に極性整合部２５ａを介して電流Ｉが流れるため、図１１に示したように、第１スイッチ部ＳＷ１は搬送接点Ｊ１−Ｊ２間を導通し、第２スイッチ部ＳＷ２は搬送接点Ｊ４−Ｊ５間を導通する。
【００８３】
入力端子Ｔ１及びＴ２に搬送された直流電力は、第１スイッチ部ＳＷ１の搬送接点Ｊ１−Ｊ２間及び第２スイッチ部ＳＷ２の搬送接点Ｊ４−Ｊ５間を通じて、入力端子Ｔ１及びＴ２に搬送された直流電力の入力極性が反転されずに出力端子Ｔ１及びＴ２に搬送される。従って、出力端子Ｔ１及びＴ２に搬送された直流電力の出力極性は入力端子Ｔ１及びＴ２に搬送された直流電力の入力極性と同一極性を有するため、制御回路２６の入力端子Ｔ７及びＴ８には、直流電源４０と同一極性を有する直流電力が搬送される。
【００８４】
次に、入力端子Ｔ１及びＴ２に直流電源４０と逆の極性である入力極性を有する直流電力が搬送された場合の極性反転部２５の動作について図１３を参照して説明する。図１３は、入力端子Ｔ１及びＴ２に直流電源４０と逆の極性である入力極性を有する直流電力が搬送された場合の極性反転部２５の動作を説明する説明図である。
【００８５】
極性反転部２５の入力端子Ｔ１及びＴ２に直流電源４０と逆の極性である入力極性を有する直流電力が搬送された場合には、図１３に示すように、配線コード３の終端３ｂにおける極性反転部２５の入力端子Ｔ１及びＴ２の入力極性はそれぞれ負極及び正極となる。この場合には、電気経路２５ｂにおいて端子Ｔ４から端子Ｔ３の方向に極性整合部２５ａを介して電流Iが流れるため、図１１に示したように、第１スイッチ部ＳＷ１は搬送接点Ｊ１−Ｊ３間を導通し、第２スイッチ部ＳＷ２は搬送接点Ｊ４−Ｊ６間を導通する。
【００８６】
入力端子Ｔ１及びＴ２に搬送された直流電力は、第１スイッチ部ＳＷ１の搬送接点Ｊ１−Ｊ３間及び第２スイッチ部ＳＷ２の搬送接点Ｊ４−Ｊ６間を通じて、入力端子Ｔ１及びＴ２に搬送された直流電力の入力極性が反転されて出力端子Ｔ１及びＴ２に搬送される。従って、出力端子Ｔ１及びＴ２に搬送された直流電力の出力極性は入力端子Ｔ１及びＴ２に搬送された直流電力の入力極性と逆であるため、制御回路２６の入力端子Ｔ７及びＴ８には、入力端子Ｔ１及びＴ２に搬送された直流電力の入力極性と逆の極性を有する直流電力、即ち、直流電源４０の極性と同一極性を有する直流電力が搬送される。
【００８７】
以上のように、本実施の形態３の直流制御機器１０ｂにおいては、極性反転部２５の電気経路２５ｂにダイオードＤを用いず、極性整合部２５ａが電流Ｉの流れる方向を考慮してリレーＲｙを制御するようにした。このため、コンセントプラグ２の抜き差しなどにより再接続をしたような場合であっても、使用者が何か特別な措置を講じなくても直流電源の極性と同一極性を適切に整合させることができるものである。
【００８８】
（実施の形態４）
次に、本発明の実施の形態４について図１４〜図１９を参照して説明する。実施の形態３と異なる点は、開閉スイッチ部３５ｃを追加的に設けた点である。以下、実施の形態４について説明する。
【００８９】
開閉スイッチ部３５ｃは、制御回路３６の開閉制御部３６ｆにより出力された電気経路３５ｂを開放する旨の制御信号に基づいて電気経路３５ｂを開放する、即ち、接点Ｊ７−Ｊ８を非導通する。実施の形態２と同様に、極性反転部３５と、第１スイッチ部ＳＷ１と、第２スイッチ部ＳＷ２とによりラッチングリレーＬＲｙが構成されている。このため、開閉スイッチ部３５ｃが電気経路３５ｂを開放した場合でも、電気経路３５ｂの通電による電流Ｉの有無に拘わらず、第１スイッチ部ＳＷ１は搬送接点Ｊ１−Ｊ３間の導通を固定維持し、第２スイッチ部ＳＷ２は搬送接点Ｊ４−Ｊ６間の導通を固定維持する。また、開閉スイッチ部３５ｃは、制御回路３６の開閉制御部３６ｆにより出力された電気経路３５ｃを閉成する旨の制御信号に基づいて、接点Ｊ７−Ｊ８を導通しても良い。
【００９０】
制御回路３６は、電源回路３６ａと、ＤＣ／ＤＣコンバータ３６ｂと、コントローラ３６ｃと、開閉制御部３６ｆとを少なくとも備える。コントローラ３６ｃは、記憶部３６ｄと、開閉判定部３６ｅとを備える。
【００９１】
電源回路３６ａは、制御回路３６に供給された直流電源４０と同一極性を有する直流電力の供給を受け、制御回路３６内の各部に対して必要な電源を供給する。
【００９２】
ＤＣ／ＤＣコンバータ３６ｂは、電源回路３６ａにより供給された直流電力のうちコントローラ３６ｃの駆動に必要な直流電力を生成して、当該生成された直流電力をコントローラ３６ｃに供給する。
【００９３】
コントローラ３６ｃの記憶部３６ｄは、極性反転部３５の電気経路３５ｂの開放状態或いは閉成状態、即ち、開閉スイッチ部３５ｃの接点Ｊ７−Ｊ８の非導通状態或いは導通状態を示す状態フラグを記憶している。例えば、極性反転部３５の電気経路３５ｂが閉成されている、即ち、開閉スイッチ部３５ｃの接点Ｊ７−Ｊ８が導通している場合には、記憶部３６ｄには当該閉成状態を示す状態フラグ「１」が記憶されている。また、極性反転部３５の電気経路３５ｂが開放されている、即ち、開閉スイッチ部３５ｃの接点Ｊ７−Ｊ８が非導通している場合には、記憶部３６ｄには当該開放状態を示す状態フラグ「０」が記憶されている。
【００９４】
コントローラ３６ｃの開閉判定部３６ｅは、記憶部３６ｄに記憶される状態フラグを参照して極性反転部３５の開閉スイッチ部３５ｃの開放又は閉成の要否を判定する。コントローラ３６ｃの開閉判定部３６ｅは、制御回路３６の入力端子Ｔ７及びＴ８に直流電源４０と同一極性を有する直流電力が搬送された際に、開閉制御部３６ｆが開閉スイッチ部３５ｃを開放するように開閉制御部３６ｆを制御する。
【００９５】
開閉制御部３６ｆは、開閉判定部３６ｅの制御の下で、制御回路３６の入力端子Ｔ７及びＴ８に直流電源４０と同一極性を有する直流電力が供給された際に、開閉スイッチ部３５ｃを開放するための制御信号を開閉スイッチ部３５ｃに出力する。
【００９６】
次に、入力端子Ｔ１及びＴ２に直流電源４０と逆の極性である入力極性を有する直流電力が搬送された場合の極性反転部３５及び制御回路３６の動作について図１５及び図１６を参照して説明する。図１５は、開閉スイッチ部３５ｃが開放される前の様子を示す説明図である。図１６は、開閉スイッチ部３５ｃが開放された後の様子を示す説明図である。また、開閉スイッチ部３５ｃは予め閉成状態、即ち、接点Ｊ７−Ｊ８間は導通状態であるとする。なお、以下の説明は、入力端子Ｔ１及びＴ２に直流電源４０と同一極性である入力極性を有する直流電力が搬送された場合にも適用可能である。更に、以下、実施の形態３で説明した電気経路２５ｂの通電による電流Ｉの流れる方向と導通される搬送接点との関係は、本実施の形態４においても同様に適用可能である。
【００９７】
極性反転部３５の入力端子Ｔ１及びＴ２に直流電源４０と逆の極性である入力極性を有する直流電力が搬送された場合には、図１５に示すように、配線コード３の終端３ｂにおける極性反転部３５の入力端子Ｔ１及びＴ２の入力極性はそれぞれ負極及び正極となる。この場合には、電気経路３５ｂには端子Ｔ４から端子Ｔ３の方向に極性整合部３５ａを介して電流Iが流れるため、第１スイッチ部ＳＷ１は搬送接点Ｊ１−Ｊ３間を導通し、第２スイッチ部ＳＷ２は搬送接点Ｊ４−Ｊ６間を導通する。
【００９８】
入力端子Ｔ１及びＴ２に搬送された直流電力は、第１スイッチ部ＳＷ１の搬送接点Ｊ１−Ｊ３間及び第２スイッチ部ＳＷ２の搬送接点Ｊ４−Ｊ６間を通じて、入力端子Ｔ１及びＴ２に搬送された直流電力の入力極性が反転されて出力端子Ｔ５及びＴ６に搬送される。従って、出力端子Ｔ５及びＴ６に搬送された直流電力の出力極性は入力端子Ｔ１及びＴ２に搬送された直流電力の入力極性と逆であるため、制御回路３６の入力端子Ｔ７及びＴ８には、極性反転部３５の入力端子Ｔ１及びＴ２に搬送された直流電力の入力極性と逆の極性を有する直流電力、即ち、直流電源４０の極性と同一極性を有する直流電力が搬送される。
【００９９】
制御回路３６の入力端子Ｔ７及びＴ８に直流電源４０と同一極性を有する直流電力が搬送された場合には、コントローラ３６ｃの開閉判定部３６ｅは、記憶部３６ｄに記憶されている状態フラグ「１」を参照し、開閉制御部３６ｆが開閉スイッチ部３５ｃを開放するように開放制御部３６ｆを制御する。開放制御部３６ｆは、開閉判定部３６ｅの制御の下で、開閉スイッチ部３５ｃを開放するための制御信号を開閉スイッチ部３５ｃに出力する。開閉スイッチ部３５ｃは、制御回路３６の開閉制御部３６ｆにより出力された電気経路３５ｃを開放する旨の制御信号に基づいて、図１６に示すように、電気経路３５ｂを開放する、即ち、接点Ｊ７−Ｊ８を非導通する。
【０１００】
また、極性反転部３５と、第１スイッチ部ＳＷ１と、第２スイッチ部ＳＷ２とにより構成されているラッチングリレーＬＲｙにより、開閉スイッチ部３５ｃが電気経路３５ｂを開放した場合、電気経路３５ｂの通電による電流Ｉの有無に拘わらず、第１スイッチ部ＳＷ１は搬送接点Ｊ１−Ｊ３間の導通を固定維持し、第２スイッチ部ＳＷ２は搬送接点Ｊ４−Ｊ６間の導通を固定維持する。従って、極性反転部３５の入力端子Ｔ１及びＴ２に直流電源４０と逆極性を有する直流電力が搬送された場合でも、実施の形態３にて説明したように、極性反転部３５により当該直流電力の極性が反転されるため、制御回路３６の入力端子Ｔ７及びＴ８には直流電源４０と同一極性を有する直流電力が搬送される。
【０１０１】
次に、図１６に示すように開閉スイッチ部１５ｃが開放された後、一旦、コンセントプラグ２が直流コンセント１１から抜かれ、再度挿し込まれた際に、入力端子Ｔ１及びＴ２に直流電源４０と同一極性である入力極性を有する直流電力が搬送された場合について図１７から図１９を参照して説明する。即ち、図１７〜図１９では、コンセントプラグ２が直流コンセント１１から抜かれる直前の入力端子Ｔ１及びＴ２の入力極性と、当該コンセントプラグ２の挿し込まれた直後の入力端子Ｔ１及びＴ２の入力極性とが逆になった場合における直流制御機器１０ｃの動作が説明される。
【０１０２】
図１７は、図１６に示す状態からプラグ２が直流コンセント１１から抜かれたときの様子を示す説明図であり、制御回路３６に直流電源４０と同一極性を有する直流電力が供給されなくなったため、開閉スイッチ部３５ｃが閉成状態、即ち、接点Ｊ７−Ｊ８間は初期の導通状態である様子が示されている。
【０１０３】
図１８は、図１７に示す状態から入力端子Ｔ１及びＴ２に直流電源４０と同一極性である入力極性を有する直流電力が搬送されてから開閉スイッチ部１５ｃが開放される前の様子を示している。配線コード３の終端３ｂにおける極性反転部３５の入力端子Ｔ１及びＴ２の入力極性はそれぞれ正極及び負極となる。この場合には、電気経路３５ｂには端子３から端子４の方向に極性整合部３５ａを介して電流Ｉが流れるため、第１スイッチ部ＳＷ１は搬送接点Ｊ１−Ｊ２間を導通し、第２スイッチ部ＳＷ２は搬送接点Ｊ４−Ｊ５間を導通する。
【０１０４】
入力端子Ｔ１及びＴ２に搬送された直流電力は、第１スイッチ部ＳＷ１の搬送接点Ｊ１−Ｊ２間及び第２スイッチ部ＳＷ２の搬送接点Ｊ４−Ｊ５間を通じて、出力端子Ｔ５及びＴ６に搬送される。従って、制御回路３６の入力端子Ｔ７及びＴ８には、直流電源４０の極性と同一極性を有する直流電力が搬送される。
【０１０５】
制御回路３６の入力端子Ｔ７及びＴ８に直流電源４０と同一極性を有する直流電力が搬送されて以降、開閉スイッチ部３５ｃは、制御回路３６の開閉制御部３６ｆにより出力された電気経路３５ｂを開放する旨の制御信号に基づいて、図１９に示すように、電気経路３５ｂを開放する、即ち、接点Ｊ７−Ｊ８を非導通する。
【０１０６】
また、極性反転部３５と、第１スイッチ部ＳＷ１と、第２スイッチ部ＳＷ２とにより構成されているラッチングリレーＬＲｙにより、開閉スイッチ部３５ｃが電気経路３５ｂを開放した後も、電気経路３５ｂの通電による電流Ｉの有無に拘わらず、第１スイッチ部ＳＷ１は搬送接点Ｊ１−Ｊ２間の導通を固定維持し、第２スイッチ部ＳＷ２は搬送接点Ｊ４−Ｊ５間の導通を固定維持する。
【０１０７】
なお、本実施の形態４の直流制御機器１０ｃは、実施の形態２に記載されているように、直流電源４０の極性と同一極性を有する直流電力が制御回路３６に供給された後に電気経路３５ｂを開放して電気経路３５ｂに電流Ｉを流さなくすることにより、極性反転部３５ｃにおける電力消費を低減することができる。更に、コンセントプラグ２が抜かれて再接続されたような場合であっても、使用者が何か特別な措置を講じなくても直流電源の極性と同一極性を適切に整合させることができるものである。
【０１０８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１０９】
本発明は、ＰＣ（Ｐｅｒｓｏｎａｌ  Ｃｏｍｐｕｔｅｒ）、ＬＥＤ（Ｌｉｇｈｔ  Ｅｍｉｔｔｉｎｇ  Ｄｉｏｄｅ）照明器具等に代表されるように、既存の直流電力を駆動源として動作する直流対応装置に限らず、従来交流電力を駆動源として動作していた家電装置等が直流電力を駆動源として動作する直流対応装置に適用することが可能である。
【符号の説明】
【０１１０】
１ａ，１ｂ  コンセント接続栓刃
２  プラグ
３、３Ａ、３Ｂ  配線コード
３ａ、３Ｂａ  始端
３ｂ、３Ａｂ、３Ｂｂ  終端
４、４Ａ、４Ｂ  プリント基板
５、５Ａ、５Ｂ、１５  極性反転部
５ａ、１５ａ  極性整合部
５ｂ、１５ｂ  電気経路
６、６Ａ、６Ｂ、１６  制御回路
１０、１０Ａ、１０Ｂ  直流制御機器
１１  直流コンセント
１２ａ、１２ｂ  接続口
１３  搬送経路
１５ｃ  開閉スイッチ部
１６ａ  電源回路
１６ｂ  ＤＣ／ＤＣコンバータ
１６ｃ  コントローラ
１６ｄ  記憶部
１６ｅ  開閉判定部
１６ｆ  開閉制御部
２０  室内機
３０  室外機
４０  直流電源
１００  直流対応装置
Ｊ１〜Ｊ６  搬送接点
Ｊ７、Ｊ８  接点
ＬＲｙ  ラッチングリレー
Ｒｙ  リレー
ＳＷ１  第１スイッチ部
ＳＷ２  第２スイッチ部
Ｔ１、Ｔ２、Ｔ７、Ｔ８  入力端子
Ｔ３、Ｔ４  端子
Ｔ５、Ｔ６  出力端子
【図１】
2011199943.tif 000003
【図２】
2011199943.tif 000004
【図３】
2011199943.tif 000005
【図４】
2011199943.tif 000006
【図５】
2011199943.tif 000007
【図６】
2011199943.tif 000008
【図７】
2011199943.tif 000009
【図８】
2011199943.tif 000010
【図９】
2011199943.tif 000011
【図１０】
2011199943.tif 000012
【図１１】
2011199943.tif 000013
【図１２】
2011199943.tif 000014
【図１３】
2011199943.tif 000015
【図１４】
2011199943.tif 000016
【図１５】
2011199943.tif 000017
【図１６】
2011199943.tif 000018
【図１７】
2011199943.tif 000019
【図１８】
2011199943.tif 000020
【図１９】
2011199943.tif 000021